(57)【特許請求の範囲】
【請求項１】
ホームシアター音響システムに備えられる統合スピーカであって、
室内の床面に配置される第１スピーカと、
前記第１スピーカの上段に取り付けられる第２スピーカとを含み、
前記第２スピーカは、高さスピーカであり、
前記第２スピーカは、鉛直方向に直交する方向に配置された第１回転軸を中心に回転自在であり、
前記第２スピーカは、鉛直方向に直交する方向に配置された第１回転軸を中心に回転自在であり、
前記第１スピーカの上端には、第１の所定の曲率を有する曲面が形成され、前記第２スピーカの下端には、第２の所定の曲率を有する曲面が形成され、前記統合スピーカは、前記第１スピーカと前記第２スピーカとを接続する接続ユニットを更に含み、
該接続ユニットは、
前記第１スピーカの前記上端を通じて前記第１スピーカに部分的に挿入される軸部材と、
前記第２スピーカに結合されるスライディング部材とを含み、
該スライディング部材は、前記軸部材が通過する長空形状のスライディング溝を含み、前記スライディング部材の上面には、前記第２の所定の曲率と同様の曲率を有する曲面が形成され、前記スライディング部材の下面には、前記第１の所定の曲率と同様の曲率を有する曲面が形成されることを特徴とする、
統合スピーカ。
【請求項２】
前記第１スピーカは、前方スピーカであることを特徴とする、請求項１に記載の統合スピーカ。
【請求項３】
前記第１スピーカは、後方スピーカであることを特徴とする、請求項１に記載の統合スピーカ。
【請求項４】
少なくとも一つの統合スピーカを含むホームシアター音響システムであって、
前記統合スピーカは、
室内の床面に配置される第１スピーカと、
前記第１スピーカの上段に取り付けられる第２スピーカとを含み、
前記第２スピーカは、高さスピーカであり、
前記第２スピーカは、鉛直方向に直交する方向に配置された第１回転軸を中心に回転自在であり、
前記第２スピーカは、鉛直方向に直交する方向に配置された第１回転軸を中心に回転自在であり、
前記第１スピーカの上端は、第１の所定の曲率を有する曲面が形成され、前記第２スピーカの下端には、第２の所定の曲率を有する曲面が形成され、前記統合スピーカは、前記第１スピーカと前記第２スピーカとを接続する接続ユニットを更に含み、
該接続ユニットは、
前記第１スピーカの前記上端を通じて前記第１スピーカに部分的に挿入される軸部材と、
前記第２スピーカに結合されるスライディング部材とを含み、
該スライディング部材は、前記軸部材が通過する長空形状のスライディング溝を含み、前記スライディング部材の上面には、前記第２の所定の曲率と同様の曲率を有する曲面が形成され、前記スライディング部材の下面には、前記第１の所定の曲率と同様の曲率を有する曲面が形成されることを特徴とする、
ホームシアター音響システム。
【請求項５】
前記第１スピーカは、前方スピーカであることを特徴とする、請求項４に記載のホームシアター音響システム。
【請求項６】
前記ホームシアター音響システムは、７．１チャネル方式に適用されるものとして、
前方左右に配置される二つの前記統合スピーカと、
後方左右に配置される二つの後方スピーカと、
前記統合スピーカの間に配置される中央スピーカと、
低音再生を補強するためのサブウーファーとを含むことを特徴とする、
請求項５に記載のホームシアター音響システム。
【請求項７】
前記第１スピーカは、後方スピーカであることを特徴とする、請求項４に記載のホームシアター音響システム。
【発明の詳細な説明】
【技術分野】
【０００１】
本発明は、統合スピーカ及びそれを備えるホームシアター音響システムに関し、より詳細には、前方スピーカ又は後方スピーカに高さスピーカの統合された統合スピーカ及びそれを備えるホームシアター音響システムに関する。
【背景技術】
【０００２】
通常、ホームシアター（Ｈｏｍｅ  ｔｈｅａｔｅｒ）は、大画面と立体音響を提供することで、家庭でもあたかも映画館で映画を観ているかのようなリアル感を与える映像及び音響設備である。
【０００３】
ホームシアター音響システムは、立体音響を提供するために、立体的に配置される複数のスピーカを含み、７．１チャネル方式では計８つのスピーカ、即ち、前方−左スピーカ、前方−右スピーカ、中央スピーカ、サブウーファー、後方−左スピーカ、後方−右スピーカ、高さ−左スピーカ及び高さ−右スピーカを含む。
【０００４】
一般的に、高さスピーカ（高さ−左スピーカ及び高さ−右スピーカ）は、ブラケットのような補助手段を使用して前方の壁面に固定されるが、このような場合、高さスピーカを取り付ける作業は、使用者にとって手間がかかるだけでなく、高さスピーカの防音方向が聴取条件又は聞き手の好みに合わせて適切に調節しにくいという問題がある。
【先行技術文献】
【特許文献】
【０００５】
【特許文献１】韓国特開第２００５−００６７６５９号公報
【特許文献２】日本特開第２００７−２９５１７３号公報
【特許文献３】韓国特開第２００５−００５５１２７号公報
【特許文献４】日本特開第２００４−１２８５５２号公報
【発明の概要】
【発明が解決しようとする課題】
【０００６】
そこで、本発明は、上記問題に鑑みてなされたものであり、本発明の目的とするところは、高さスピーカの設置時に感じる煩わしさが解除され、高さスピーカの防音方向が聴取条件及び聞き手の好みに合わせて適切に調節できる統合スピーカ及びそれを備えるホームシアター音響システムを提供することにある。
【課題を解決するための手段】
【０００７】
前記目的を達成するために、本発明は、ホームシアター音響システムに備えられる統合スピーカとして、室内の床面に配置される第１スピーカと、前記第１スピーカの上段に取り付けられる第２スピーカとを含み、前記第２スピーカは高さスピーカである統合スピーカを提供する。
【０００８】
前記第１スピーカは、前方スピーカであってよい。
【０００９】
前記高さスピーカは、鉛直方向に直交する方向に配置された第１回転軸を中心に回転可能に配設されると共に、鉛直方向に配置された第２回転軸を中心にも回転可能に配設される。
【００１０】
前記前方スピーカの上段には、一定の曲率を有する曲面が形成され、前記統合スピーカは前記前方スピーカと前記高さスピーカとを接続する接続ユニットを更に含み、前記接続ユニットは、前記曲面を通じて前記前方スピーカに部分挿入される軸部材と、前記高さスピーカに結合されるスライディング部材として、前記軸部材が通過する長空形状のスライディング溝が形成され、前記曲面と同様の曲率を有する板形状のスライディング部材とが設けられる。
【００１１】
前記第１スピーカは、後方スピーカであってよい。
【００１２】
前記目的を達成するために、少なくとも一つの統合スピーカを含むホームシアター音響システムとして、前記統合スピーカは、室内の床面に配置される第１スピーカと、前記第１スピーカの上段に取り付けられる第２スピーカとを含み、前記第２スピーカは高さスピーカであるホームシアター音響システムを提供する。
【００１３】
前記第１スピーカは、前方スピーカであってよい。
【００１４】
前記高さスピーカは、鉛直方向に直交する方向に配置された第１回転軸を中心に回転可能に配設されると共に、鉛直方向に配置された第２回転軸を中心にも回転可能に配設される。
【００１５】
前記前方スピーカの上段には、一定の曲率を有する曲面が形成され、前記統合スピーカは前記前方スピーカと前記高さスピーカとを接続する接続ユニットを更に含み、前記接続ユニットは、前記曲面を通じて前記前方スピーカに部分挿入される軸部材と、前記高さスピーカに結合されるスライディング部材として、前記軸部材が通過する長空形状のスライディング溝が形成され、前記曲面と同様の曲率を有する板形状のスライディング部材とが設けられる。
【００１６】
前記ホームシアター音響システムは、７．１チャネル方式に適用されるものとして、前方左右に配置される二つの前記統合スピーカと、後方左右に配置される二つの後方スピーカと、前記統合スピーカの間に配置される中央スピーカと、低音再生を補強するためのサブウーファーとを含んでよい。
【００１７】
前記第１スピーカは、後方スピーカであってよい。
【発明の効果】
【００１８】
本発明によると、高さスピーカが前方スピーカ又は後方スピーカに統合された統合スピーカが提供されることにより、高さスピーカを室内の壁に取り付けられる作業で感じる煩わしさを解消することができる。なお、本発明によると、統合スピーカに備えられる高さスピーカが上下及び／又は左右方向に回転自在であるため、聞き手は聴取条件及び自分の好みを考慮して高さスピーカの防音方向を適切に選択することができる。
【図面の簡単な説明】
【００１９】
【図１】本発明の一実施形態に係るホームシアター音響システムの適用されたホームシアター設備を概略的に示す斜視図である。
【図２】図１のホームシアター設備に備えられる音響システムの結線を示す概念図である。
【図３】図１のホームシアター設備の音響システムに備えられる統合スピーカの斜視図である。
【図４】図３の統合スピーカの部分の分解斜視図である。
【図５】図３の統合スピーカの部分の断面図である。
【図６】図３の統合スピーカに備えられる高さスピーカの回転動作を説明するための図として、例示的な初期状態を示す斜視図である。
【図７】図３の統合スピーカに備えられる高さスピーカの回転動作を説明するための図として、高さスピーカが初期状態から上方に回転された場合を示す斜視図である。
【図８】図３の統合スピーカに備えられる高さスピーカの回転動作を説明するための図として、高さスピーカが初期状態から右側に回転された場合を示す斜視図である。
【発明を実施するための形態】
【００２０】
以下に添付図面を参照しながら、本発明の好適な実施の形態について詳細に説明する。ここで説明される実施形態は、発明の理解を促すための例示を示したものであって、本発明はここで説明される実施形態と違って多様に変形されて実施できることを理解すべきである。なお、発明の理解を促すために、添付図面は実際の寸法で示されたものではなく、一部の構成要素のみを拡大して示すことがある。
【００２１】
以下で添付図面を参照しながら、本発明の実施形態に係る統合スピーカ及びそれを備えるホームシアター音響システムについてより詳細に説明する。
【００２２】
図１は、本発明の一実施形態に係るホームシアター音響システムの適用されたホームシアター設備を概略的に示す斜視図であり、図２は、図１のホームシアター設備に備えられる音響システムの結線を示す概念図である。
【００２３】
図１によると、ホームシアター設備は、映像提供のための映像システム及び音響提供のための音響システムを含む。
【００２４】
前記映像システムは、テレビ１０及びＤＶＤプレーヤ２０を含む。ＤＶＤに記録された映像情報は、ＤＶＤプレーヤ２０を通じて再生された後、テレビ１０を通じて映像に変換されることができる。代案として、別の実施形態では、ＤＶＤプレーヤ２０の代わりにＶＴＲプレーヤ、パソコン（ＰＣ）などのような別の再生装置が備えられてよい。
【００２５】
前記音響システムは７．１チャネル方式が適用され、これに計８つのスピーカ、即ち、前方−左スピーカ３０Ａ、前方−右スピーカ３０Ｂ、中央スピーカ４０、サブウーファー５０、後方−左スピーカ６０Ａ、後方−右スピーカ６０Ｂ、高さ−左スピーカ７０Ａ及び高さ−右スピーカ７０Ｂを含む。
【００２６】
７つのスピーカ３０Ａ、３０Ｂ、４０、６０Ａ、６０Ｂ、７０Ａ、７０Ｂは、おおよそ２０〜２０、０００Ｈｚ周波数に該当する幅広い音域を担う一方で、サブウーファー５０は、おおよそ２０〜１２０Ｈｚ周波数に該当する低音の再生を補強するためのものである。
【００２７】
前記音響システムは、ＤＶＤプレーヤ２０によって再生された音源を増幅させるためのレシーバ（Ｒｅｃｅｉｖｅｒ）８０を更に含む。図２に示された結線図を参照すると、レシーバ８０は８つのスピーカに対応する８つのアンプ（増幅器）、即ち、前方−左アンプ８３Ａ、前方−右アンプ８３Ｂ、中央アンプ８４、サブウーファーアンプ８５、後方−左アンプ８６Ａ、後方−右アンプ８６Ｂ、高さ−左アンプ８７Ａ及び高さ−右アンプ８７Ｂを含む。そうして、ＤＶＤプレーヤ２０で再生された音源はレシーバ８０に備えられる８つのアンプにより増幅された後、８つのスピーカにそれぞれ伝達される。
【００２８】
図１に示すように、二つの前方スピーカ３０Ａ、３０Ｂは聞き手の前方でテレビ１０を隔てて相互に離隔配置され、中央スピーカ４０は、両前方スピーカ３０Ａ、３０Ｂの間に配置され、サブウーファー５０は、前方−左スピーカ３０Ａと中央スピーカ４０の間に配置され、二つの後方スピーカ６０Ａ、６０Ｂは聞き手の後方で互いに離隔配置されている。参考に、低音再生を補強するサブウーファ５０は設置位置に制限はない。従って、図１でサブウーファー５０は前方−左スピーカ３０Ａと中央スピーカ４０との間に配置されているが、別の位置に配置されていい。
【００２９】
図１に示すように、高さ−左スピーカ７０Ａは、前方−左スピーカ３０Ａの上段に結合されており、高さ−右スピーカ７０Ｂは、前方−右スピーカ３０Ｂの上段に結合されている。従って、前方−左スピーカ３０Ａと高さ−左スピーカ７０Ａとは結合されて一つの統合スピーカ１００Ａを構成し、前方−右スピーカ３０Ｂと高さ−右スピーカ７０Ｂとは結合されてもう一つの統合スピーカ１００Ｂを構成する。このように、本実施形態のホームシアター音響システムは高さスピーカ７０Ａ、７０Ｂが壁面に取り付けられるのではなく、前方スピーカ３０Ａ、３０Ｂと統合されていることで、従来の音響システムと相違している。
【００３０】
統合スピーカ１００Ａ、１００Ｂについて、図３ないし図８を参照しながら、より詳細に説明する。二つの統合スピーカ１００Ａ、１００Ｂの構造は、相互に同様であるため、そのうち前方左側に配置される統合スピーカ１００Ａを代表して説明し、前方右側に配置される統合スピーカ１００Ｂについての説明は省略する。
【００３１】
図３は、図１のホームシアター設備の音響システムに備えられる統合スピーカの斜視図であり、図４は、図３の統合スピーカの部分の分解斜視図であり、図５は、図３の統合スピーカの部分の断面図である。
【００３２】
図３ないし図５によると、本実施形態に係る統合スピーカ１００Ａは、前方スピーカ（第１スピーカ）３０Ａと、高さスピーカ（第２スピーカ）７０Ａと、支持台１０１と、接続ユニット１１０を含む。より正確には、前方スピーカ３０Ａは前方−左スピーカ３０Ａに該当し、高さスピーカ７０Ａは高さ−左スピーカ７０Ａに該当することに留意すべきである。
【００３３】
前方スピーカ３０Ａは、支持台１０１に支持され、それにより室内の床面上に配置されることができる。前方スピーカ３０Ａはおおよそ１ｍの長さの長い棒（Ｒｏｄ）状の直立型のスピーカである。前方スピーカ３０Ａの上側には音を放出する３つのドライバ３１、３２、３３が備えられ、このうち真ん中に配置されたドライバ３３は高音を担うツイーター（Ｔｗｅｅｔｅｒ）に該当し、そのドライバ３３を隔てて上下に配置された一対のドライバ３１、３２は重低音を担うミッドウーファー（Ｍｉｄｗｏｏｆｅｒ）に該当する。このようなドライバ３１、３２、３３の個数、種類、配置は例示的なものであって、従ってその他の別の実施形態では違って設計されてよい。
【００３４】
図４及び図５に示すように、前方スピーカ３０Ａの上段３５には一定の曲率を有する曲面３６がくぼんで形成されている。前記曲面３６は、球面（Ｓｐｈｅｒｉｃａｌ  ｓｕｒｆａｃｅ）の一部に該当し、従って、球（Ｓｐｈｅｒｅ）の半径に該当する一定の曲率を有する。曲面３６の中央部には挿入溝３７が一定の深さで形成されている。
【００３５】
高さスピーカ７０Ａは、ほぼ半球の形状であり、前方スピーカ３０Ａの上段に取り付けられる。このように、高さスピーカ７０Ａが前方スピーカ３０Ａに統合的に設置されるため、高さスピーカ７０Ａを室内の壁に取り付ける作業が省かれ、従って、高さスピーカの設置時に感じる煩わしさを解消することができる。
【００３６】
接続ユニット１１０は、第１スピーカに該当する前方スピーカ３０Ａと第２スピーカに該当する高さスピーカ７０Ａを相互接続する。この接続ユニット１００は、軸部材１２０及びスライディング部材１３０を含む。
【００３７】
軸部材１２０は、挿入部１２１とベッド部１２２とで構成される。挿入部１２１は前方スピーカ３０Ａの上段３５に形成された挿入溝３７に挿入固定される。挿入部１２１の外側面にはおねじのねじ山が形成されており、挿入溝３７の内側にはめねじのねじ山が形成されている。従って、軸部材１２０の挿入部１２１の挿入溝３７にねじ締結により容易に固定することができる。ヘッド部１２２は挿入溝３７に挿入されずに外側に露出する。
【００３８】
スライディング部材１３０は、前方スピーカ３０Ａの曲面３５と同様の曲率を有する板（Ｐｌａｔｅ）の形状である。スライディング部材１３０には長空形状のスライディング溝１３１が貫通形成されている。上述の軸部材１２０の挿入部１２１は、スライディング部材１３０のスライディング溝１３１を通過した後、前方スピーカ３０Ａの挿入溝３７に挿入される。スライディング部材１３０には一対の結合孔１３２、１３３が形成される。これら結合孔１３２、１３３を通過するねじ（図示せず）によりスライディング部材１３０は高さスピーカ７０Ａに固定される。
【００３９】
接続ユニット１１０のスライディング部材１３０は同様の曲率を有する前方スピーカ３０Ａの曲面３６に沿ってスライディング可能である。従って、スライディング部材１３０が前方スピーカ３０Ａの曲面３６に沿ってスライディングする際、スライディング部材１３０と結合された高さスピーカ７０Ａは上下方向に回転する。ここで、高さスピーカ７０Ａが上下方向に回転するということは、高さスピーカ７０Ａが鉛直方向に垂直した第１回転軸α（図６を参照）を中心に回転することを意味する。
【００４０】
接続ユニット１１０のスライディング部材１３０は軸部材１２０を中心に回転自在である。従って、スライディング部材１３０が軸部材１２０を中心に回転する際、スライディング部材１３０と結合された高さスピーカ７０Ａは左右方向に回転する。ここで、高さスピーカ７０Ａが左右方向に回転するということは、高さスピーカ７０Ａが鉛直方向の第２回転軸β（図６を参照）を中心に回転することを意味する。
【００４１】
このような高さスピーカ７０Ａの上下及び左右回転動作については図６ないし８を参考に更に説明する。
【００４２】
図６ないし図８は、図３の統合スピーカに備えられる高さスピーカの回転動作を説明するための図として、図６は、例示的な初期状態を示す斜視図であり、図７は、高さスピーカが初期状態から上方に回転された場合を示す斜視図であり、図８は、高さスピーカが初期状態から右側に回転された場合を示す斜視図である。
【００４３】
図６に示すように、高さスピーカ７０Ａは初期状態で水平となった防音方向（又は防音角）Ｐ０を有している。
【００４４】
鉛直方向に直交する方向に配置された第１回転軸αを中心に高さスピーカ７０Ａを上方に一定の角度回転させると、図７に示すように、高さスピーカ７０Ａは上方に斜めになった防音方向Ｐ１を有するようになる。
【００４５】
鉛直方向に配置された第２回転軸βを中心に高さスピーカ７０Ａを右側に一定の角度回転させると、図８に示すように、高さスピーカ７０Ａは右側に偏った防音方向Ｐ２を有する。
【００４６】
このように、統合スピーカ１００Ａの高さスピーカ７０Ａは、前方スピーカ３０Ａに相対的に上下方向に、そして左右方向に回転されることができる。従って、スピーカ７０Ａの防音方向は上下方向及び／又は左右方向に適切に調節することができる。従って、聞き手は聴取条件及び自分の好みを考慮して、高さスピーカ７０Ａの防音方向を適切に選択することができるようになる。
【００４７】
なお、前方スピーカ３０Ａの長さはおおよそ１ｍに該当すると説明した。従って、高さスピーカ７０Ａの高さもおおよそ１ｍとなる。おおよそ１ｍという高さスピーカの高さは、室内の壁に取り付けられる場合に比べると、相対的に低いものである。しかしながら、図７でのように、高さスピーカ７０Ａの防音方向は上方を向くように設定されてよいため、高さスピーカ７０Ａの高さが相対的に低くなっても、高さスピーカ７０Ａが提供する上下方向の立体音響感は維持される。
【００４８】
以上で説明した実施形態では、統合スピーカ１００Ａ、１００Ｂは高さスピーカ７０Ａ、７０Ｂが前方スピーカ３０Ａ、３０Ｂと統合したものとして例示された。別の実施形態では、統合スピーカは高さスピーカが後方スピーカと統合したものであってよい。ただ、高さスピーカが前方スピーカに統合される場合、高さスピーカから出力された音響が天井に反射されて聞き手により伝わりやすくなる。従って、高さスピーカは後方スピーカに統合されるよりは、前方スピーカに統合されるほうが望ましいといえる。
【００４９】
以上で説明したように、本発明によると、高さスピーカが前方スピーカ又は後方スピーカに統合された統合スピーカが提供されることにより、高さスピーカを室内の壁に取り付ける作業で感じる煩わしさを解消することができる。なお、本発明によると、統合スピーカに備えられる高さスピーカが上下及び／又は左右方向に回転自在であるため、聞き手は聴取条件及び自分の好みを考慮して高さスピーカの防音方向を適切に選択することができる。
【００５０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５１】
３０Ａ  前方−左スピーカ
３０Ｂ  前方−右スピーカ
４０    中央スピーカ
５０    サブウーファー
６０Ａ  後方−左スピーカ
６０Ｂ  後方−右スピーカ
７０Ａ  高さ−左スピーカ
７０Ｂ  高さ−右スピーカ
８０    レシーバ
１００Ａ、１００Ｂ  統合スピーカ
１１０  接続ユニット
１２０  軸部材
１３０  スライディング部材
１３１  スライディング溝
【図１】
0005868673.tif 000002
【図２】
0005868673.tif 000003
【図３】
0005868673.tif 000004
【図４】
0005868673.tif 000005
【図５】
0005868673.tif 000006
【図６】
0005868673.tif 000007
【図７】
0005868673.tif 000008
【図８】
0005868673.tif 000009